(57)【要約】【課題】中空円錐状の噴霧と充円錐状の噴霧とを切替自在で備えた噴霧ノズルを有するシャワー浴装置を提供する。【解決手段】本発明のシャワー浴装置は、シャワー浴装置本体１と、入浴者が座るための座部１４と、噴霧ノズル４とを有し、噴霧ノズル４が、流体を霧状に噴出する噴出孔４３と、噴出孔４３からの噴霧形状を切り替える切替手段とを有すると共に、噴霧動作として、噴出孔４３から中空円錐状に流体を噴出させる第１モードと、噴出孔４３から充円錐状に流体を噴出させる第２モードとを切替自在に備える。【選択図】図１
2013022203.tif 000002
【特許請求の範囲】
【請求項１】
シャワー浴装置本体と、入浴者が座るための座部と、噴霧ノズルとを有し、
前記噴霧ノズルが、流体を霧状に噴出する噴出孔と、前記噴出孔からの噴霧形状を切り替える切替手段とを有し、
前記噴霧ノズルが噴霧動作として、前記噴出孔から中空円錐状に流体を噴出させる第１モードと、前記噴出孔から充円錐状に流体を噴出させる第２モードとを切替自在に備えるものであることを特徴とするシャワー浴装置。
【請求項２】
前記噴霧ノズルが、前記流体の流れに旋回流と中心軸流れとを形成する旋回部を更に有し、
前記切替手段が、前記第１モード時に前記旋回流を前記旋回部に形成させ、前記第２モード時に前記旋回流及び前記中心軸流れを前記旋回部に形成させるものであることを特徴とする請求項１に記載のシャワー浴装置。
【請求項３】
前記旋回部が板状で、前記旋回流形成用の旋回孔を板面の外周側に複数備えると共に、前記中心軸流れ形成用の中心孔を前記板面の中央に備えた旋回板で構成され、
前記噴霧ノズルが、前記第１モード時に前記中心孔を閉塞する閉塞部材を有することを特徴とする請求項２に記載のシャワー浴装置。
【請求項４】
前記噴霧ノズルが、前記旋回部としての前記旋回板と、前記流体を流通させる流通路を内部に備え前記流通路の下流端が開口したノズル本体と、前記噴出孔を備え前記下流端を覆うキャップと、整流用の整流板とを有し、
前記旋回板が、上流側に突出した凸部を前記板面の中央に備え、前記中心孔が前記凸部に貫通して形成され、
前記キャップが、前記ノズル本体に対して前記流通路の流体の流動方向に沿って移動自在に取り付けられると共に、前記移動時に前記旋回板を移動させ、
前記整流板が、整流孔を板面の外周側に複数備えると共に、前記噴霧ノズルの前記旋回板より上流側に配置され、前記閉塞部材として前記第１モード時に前記板面の中央で前記中心孔を閉塞するものであることを特徴とする請求項３に記載のシャワー浴装置。
【請求項５】
前記シャワー浴装置本体の一側又は両側の上方位置にアームを設け、当該アームに前記噴霧ノズルを設けたことを特徴とする請求項１乃至請求項４のいずれか一項に記載のシャワー浴装置。
【発明の詳細な説明】
【技術分野】
【０００１】
本発明は、シャワー浴装置に関するものである。
【背景技術】
【０００２】
特許文献１は、シャワー装置本体と、入浴者が座るための椅子と、ハンドシャワーと、湯水を噴霧する複数の噴霧ノズルと、噴霧に用いる噴霧ノズルを選択的に切り替える切替手段とを備えたシャワー装置を開示している。この特許文献１に示される従来例は、入浴者が椅子に座った姿勢で、噴霧ノズルから湯水を浴びることができる。そして、切替手段によって噴霧に用いる噴霧ノズルを切り替えることで、湯水（噴霧水）を当てる部位や噴流強さを変化させて、噴霧による部分刺激を変更させる。
【０００３】
また、特許文献２は、同一の噴霧ノズルで、中心軸流れのみでの噴霧動作と、中心軸流れと旋回流とを合わせた噴霧動作とを行えるシャワー装置を開示している。この特許文献２に示される従来例では、旋回流形成用の旋回孔と中心軸流れ形成用の中心孔とを備えた旋回部と、噴霧孔を備え旋回部に対して接離するノズルキャップとを有する。このシャワー装置は、ノズルキャップを旋回部から離間させた状態で流体を噴出させることで、流体を充円錐状に噴出し、流体で入浴者を包みミスト浴を行わせる。そして、ノズルキャップを旋回部に当接させて旋回孔を塞ぐことで、中心軸流れのみの流体を噴霧孔に導入して噴流を直噴状態にし、局所的な噴霧刺激を入浴者に付与する。
【先行技術文献】
【特許文献】
【０００４】
【特許文献１】特開２００３−３２５３６９号公報
【特許文献２】特開平１０−３０７４７号公報
【発明の概要】
【発明が解決しようとする課題】
【０００５】
しかしながら、特許文献１の構成では、噴霧に用いる噴霧ノズルを変更することで、噴霧パターンや部分刺激を変えるため、この変更に伴い湯水の当たる部位が変わってしまい、同じ部位に対して異なるミスト浴を行い難い。また、特許文献２の構成のものでは、ノズルキャップを旋回部に当接した状態において、噴流が直噴状態となるため、この噴流では入浴者を包み込めず、ミスト浴を行うことができない。
【０００６】
本発明は、上記従来の問題点に鑑みて発明したもので、その目的とするところは、同一の噴霧ノズルで中空円錐状の噴霧と充円錐状の噴霧との二つのミスト浴を行うことを可能とするシャワー浴装置を提供するにある。
【課題を解決するための手段】
【０００７】
上記課題を解決するために、本発明のシャワー浴装置は、シャワー浴装置本体と、入浴者が座るための座部と、噴霧ノズルとを有し、前記噴霧ノズルが、流体を霧状に噴出する噴出孔と、前記噴出孔からの噴霧形状を切り替える切替手段とを有し、前記噴霧ノズルが噴霧動作として、前記噴出孔から中空円錐状に流体を噴出させる第１モードと、前記噴出孔から充円錐状に流体を噴出させる第２モードとを切替自在に備えるものであることを特徴とする。
【０００８】
このシャワー浴装置として、前記噴霧ノズルが、前記流体の流れに旋回流と中心軸流れとを形成する旋回部を更に有し、前記切替手段が、前記第１モード時に前記旋回流を前記旋回部に形成させ、前記第２モード時に前記旋回流及び前記中心軸流れを前記旋回部に形成させるものであることが好ましい。
【０００９】
このシャワー浴装置として、前記旋回部が板状で、前記旋回流形成用の旋回孔を板面の外周側に複数備えると共に、前記中心軸流れ形成用の中心孔を前記板面の中央に備えた旋回板で構成され、前記噴霧ノズルが、前記第１モード時に前記中心孔を閉塞する閉塞部材を有することが好ましい。
【００１０】
このシャワー浴装置として、前記噴霧ノズルが、前記旋回部としての前記旋回板と、前記流体を流通させる流通路を内部に備え前記流通路の下流端が開口したノズル本体と、前記噴出孔を備え前記下流端を覆うキャップと、整流用の整流板とを有し、前記旋回板が、上流側に突出した凸部を前記板面の中央に備え、前記中心孔が前記凸部に貫通して形成され、前記キャップが、前記ノズル本体に対して前記流通路の流体の流動方向に沿って移動自在に取り付けられると共に、前記移動時に前記旋回板を移動させ、前記整流板が、整流孔を板面の外周側に複数備えると共に、前記噴霧ノズルの前記旋回板より上流側に配置され、前記閉塞部材として前記第１モード時に前記板面の中央で前記中心孔を閉塞するものであることが好ましい。
【００１１】
このシャワー浴装置として、前記シャワー浴装置本体の一側又は両側の上方位置にアームを設け、当該アームに前記噴霧ノズルを設けたことが好ましい。
【発明の効果】
【００１２】
本発明は、座部を備えたシャワー浴装置において、噴霧ノズルが中空円錐状の噴霧と充円錐状の噴霧との二つの噴霧動作を切替自在に備えたことで、同一の噴霧ノズルで噴霧形状の異なる二つのミスト浴を行うことができるという効果を奏する。
【図面の簡単な説明】
【００１３】
【図１】噴霧ノズルの流通方向に切断した断面図であり、（ａ）は第１モードであり、（ｂ）は第２モードである。
【図２】噴霧ノズルの平面図である。
【図３】噴霧ノズルの噴霧動作の説明図であり、（ａ）は第１モードであり、（ｂ）は第２モードである。
【図４】整流板の平面図である。
【図５】旋回板の説明図であり、（ａ）は平面図であり、（ｂ）は旋回孔周辺の断面図である。
【図６】同上の噴霧ノズルを有したシャワー浴装置であって、（ａ）は正面図であり、（ｂ）は側面図であり、（ｃ）は平面図である。
【図７】同上のシャワー浴装置の一部を透過させた正面図である。
【図８】流体混合部の説明図である。
【発明を実施するための形態】
【００１４】
本発明を、添付図面に示す実施形態に基づいて説明する。図６、図７には、シャワー浴装置の一実施形態を示す。シャワー浴装置は、装置本体１（シャワー浴装置本体１）と、座部１４と、噴霧部と、ハンドシャワー３と、流体混合部２とを有する。装置本体１は、フレーム部１１と、背もたれ部１２と、アーム１３とを備える。
【００１５】
背もたれ部１２は、図６に示すように、両側に前方に向けて上下方向の全長又はほぼ全長にわたって突条部１２ａを突出しており、左右方向の中央に後方に窪んだ凹みを形成してある。そして、背もたれ部１２は左右両側の上部に回動自在でアーム１３が設けられ、背もたれ部１２の背部には、図７に示すように、フレーム部１１が設けてある。フレーム部１１は任意の固定手段によって浴室或いはシャワー室の壁１６に取り付けられ、装置本体１にかかる荷重を支えている。そして、フレーム部１１は下端部から左右一対の支持脚１１ａが一体に垂下して設けてあり、支持脚１１ａの下端を浴室或いはシャワー室の床１７に載設して、装置本体１にかかる荷重を支持脚１１ａでも支えている。
【００１６】
また、フレーム部１１の下端部には座部１４が回動自在で設けてある。座部１４は上記回動によって背もたれ部１２から前方に向けて略直角に突出させることができ、この突出した状態で、利用者（入浴者）は座部１４に座ることができる。そして、この突出した状態において、座部１４を突出させた回動の向きと逆向きに回動させることで、座部１４は略垂直な姿勢になると共に背もたれ部１２の下方（支持脚１１ａの間）に収納される。更に、座部１４はこの収納した状態において、背もたれ部１２よりも前方に突出しない構成になっており、座部１４に邪魔されることなく、利用者が背もたれ部１２に沿って背もたれ部１２の前方に起立することができる。
【００１７】
流体混合部２は、図８に示すように、流体流路２１と、温調弁２４と、切替弁２５とを備え、温調弁２４及び切替弁２５は流体流路２１に設けてあり、温調弁２４は切替弁２５より上流に位置する。流体流路２１は流体（水）が流通され、温調弁２４より上流側が冷水流入路２２ａと温水流入路２２ｂとに分岐し、切替弁２５より下流側がシャワー用流路２３ａと噴霧用流路２３ｂとに分岐する。
【００１８】
冷水流入路２２ａは上流側が外部の冷水配管（図示せず）に連通接続され、温水流入路２２ｂは上流側が外部の温水配管（図示せず）に連通接続される。そして、冷水配管からの冷水と温水配管からの温水（湯）は温調弁２４で混合されると共に、この冷水と温水の混合率が温調弁２４で調整変更される。更に、この混合率の調整変更動作は温調操作部２４ａを操作することで行われ、図６に示すように、温調操作部２４ａは背もたれ部１２の突条部１２ａに露出して設けてある。
【００１９】
また、図８に示すように、温調弁２４で混合された流体（水）は切替弁２５を介してシャワー用流路２３ａや噴霧用流路２３ｂに流入される。
切替弁２５は、シャワー用流路２３ａに流体を流入させるシャワー状態と、噴霧用流路２３ｂに流体を流入させる噴霧状態と、上記流路の両方に流体を流入させない閉塞状態とに流体流路２１の流通状態を切り替える。そして、切替弁２５の上記切替動作は切替操作部２５ａを操作することで行われ、図６に示すように、切替操作部２５ａは背もたれ部１２の突条部１２ａに露出して設けてあり、切替操作部２５ａは温調操作部２４ａと上下方向に並んで位置する。なお、切替弁２５は、切替操作部２５ａを操作することで、シャワー用流路２３ａと噴霧用流路２３ｂの両方に流体を流入させるシャワー噴霧状態に切替可能であってもよい。
【００２０】
ハンドシャワー３は、図６に示すように、シャワーホース３３と、ハンドシャワーヘッド３１と、シャワーヘッド保持部３２とで主体が構成され、ハンドシャワーヘッド３１は入浴者が把持可能となっている。シャワーホース３３はフレキシブルホースにより形成してあり、上流端がシャワー用流路２３ａの下流端に連通接続され、下流端がシャワーヘッドに連通接続されている。そのため、ハンドシャワー３は、ハンドシャワーヘッド３１を手で持って（把持して）自由にハンドシャワーヘッド３１を移動可能としている。そして、シャワーヘッド保持部３２は、背もたれ部１２の一方（本例では正面視右側）の突条部１２ａの前面下部に設けてあり、ハンドシャワーヘッド３１を着脱自在に保持可能となっている。
【００２１】
噴霧部は、図６乃至図８に示すように、複数の噴霧ノズル４で主体が構成され、噴霧用流路２３ｂは下流端を噴霧ノズル４毎に分岐させ、当該下流端を各々一対一の関係で噴霧ノズル４に連通接続させてある。そして、噴霧ノズル４は、アーム側噴霧ノズル４ａと、背中側噴霧ノズル４ｂとに区別され、アーム側噴霧ノズル４ａはアーム１３の長手方向の複数個所に設けられ、背中側噴霧ノズル４ｂは背もたれ部１２に設けられる。更に、背中側噴霧ノズル４ｂは、図６に示すように、利用者が背もたれ部１２に背中を凭れた場合に、身体により塞がれない位置に位置する。なお、背もたれ部１２の表面の一部を凹ませて、この凹み部分の奥底部分に背中側噴霧ノズル４ｂを臨ませるように配置することが好ましい。
【００２２】
当該噴霧ノズル４は、図１に示すように、流通路４１と、旋回部４２と、噴出孔４３と、切替手段とを有する。流通路４１は上流端が噴霧用流路２３ｂに連通接続されており、噴霧用流路２３ｂから流通路４１に流入された流体は、旋回部４２を介して噴出孔４３に導入され、噴出孔４３から噴霧水Ｍとして霧状に噴出される。旋回部４２は流通方向Ｆに沿った流体の流れに、旋回流や中心軸流れを形成する（付与する）。
【００２３】
切替手段は、噴出孔４３から噴出される流体が飛散する形状（噴霧形状）を、異なる二つの形状に切り替える。そのため、噴霧ノズル４は流体の噴出動作（噴霧動作）として、図３に示すように、第１モードと第２モードとを切替自在に有し、第１モードと第２モードとで噴霧形状が異なる。
【００２４】
この第１モードは、図３（ａ）に示すように、旋回流により噴出孔４３から中空円錐状に流体（噴霧水Ｍ）を噴出させ、第２モードは、図３（ｂ）に示すように、旋回流に中心軸流れを付与して噴出孔４３から充円錐状に流体（噴霧水Ｍ）を噴出させる。この充円錐状とは、中空円錐状における円錐の内側の中空部位にも霧状の流体が存在した形状となっている。そのため、第１モードでは噴霧水Ｍの円錐の軸方向に直交した断面形状（円錐の底面形状）がリング状（円環状）となっており、第２モードでは噴霧水Ｍの上記断面形状（円錐の底面形状）が円形状となっている。そして、第１モードにおける噴霧水Ｍのリングの外径は、噴出孔４３から所定の同一距離において、第２モードにおける噴霧水Ｍの円の外径と略同寸或いは円の外径より若干小さい寸法となっている。なお、旋回流とは流通方向Ｆに円周方向の流れを付与した螺旋状の流れとなっており、中心軸流れとは、旋回流（螺旋）の中心軸（流通方向Ｆ）に沿った流れとなっている。
【００２５】
また、具体的な構成として、本例の噴霧ノズル４は、図１に示すように、ノズル本体５と、キャップ６と、旋回板７と、整流板８と、Ｏリング９とを有する。ノズル本体５は内部に流通路４１を備えた円筒状となっている。そして、ノズル本体５は円筒の軸方向が流通路４１を流れる流体の流通方向Ｆに沿って位置し、流通路４１の下流端がノズル本体５の円筒の一方の端部に位置する。また、ノズル本体５内（流通路４１内）には円板状の整流板８が配置されており、整流板８は板面を流通方向Ｆに略直交させてノズル本体５に固定される。
【００２６】
整流板８は、図４に示すように、板面の外周側に複数（本例では六つ）の整流孔８１を備え、整流孔８１は、図１に示すように、流通方向Ｆに沿って板面を貫通して形成されると共に、周方向に略等間隔で同一円周上に並ぶ。そして、整流板８より下流側には旋回板７が配置される。
【００２７】
旋回板７は円板状で、図５に示すように、旋回孔７１と、中心孔７２と、凸部７３とを備える。旋回孔７１は板面の外周側に複数（本例では三つ）設けてあり、周方向に略等間隔で同一円周上に並ぶ。そして、旋回孔７１は板面に貫通して形成されると共に、貫通方向が流通方向Ｆに対して旋回板７の周方向に傾斜して設けてある。そのため、旋回孔７１は流入した流体に周方向の流れ成分を付与して、旋回流を生じさせる。
【００２８】
凸部７３は上流側を向く板面から流通方向Ｆに沿って上流側に突出して形成されると共に、板面の略中央に設けてある。そして、凸部７３は上流側程小径となる円錐形状で突出しており、旋回孔７１に流入する流体の圧力損失を軽減して、流体の流れの乱れを抑制している。また、凸部７３は円錐の中心軸に沿った位置に中心孔７２が設けてある。中心孔７２は凸部７３と略同心の断面円形状で、流通方向Ｆに沿って凸部７３及び板面に貫通して形成されており、流入した流体に中心軸流れを生じさせる。
【００２９】
図１に示すように、キャップ６は有底筒状で、流通路４１の下流端を覆っており、キャップ６の内周面には旋回板７が固定されている。そして、キャップ６は底部の中央（図２参照）に噴出孔４３を備え、噴出孔４３は中心孔７２と同一軸上の位置に設けてあり、各旋回孔７１や中心孔７２から導入された流体（旋回板７を介した）流体を噴出孔４３から噴霧する（霧状に噴出する）。更に、キャップ６はこの筒内の底部と旋回板７の間に旋回室６１が形成されており、旋回板７を介した流体を旋回室６１で混合して、噴出孔４３に導入している。
【００３０】
また、キャップ６の旋回板７より上流側に位置する内周面と、この内周面に対向するノズル本体５の外周面には、ねじ部５ａ，６ａを各々備えると共に、ねじ部５ａ，６ａより下流側の間にＯリング９が配置されている。そのため、互いのねじ部５ａ，６ａが噛み合い、キャップ６はノズル本体５に取り付けられる。そして、キャップ６の内周面とノズル本体５の外周面との間はＯリング９によって水密構造が形成される。更に、キャップ６はこの移動時に旋回板７を伴って移動すると共に、回転量に応じてノズル本体５に対して流通方向Ｆに移動量が変化する。
【００３１】
更に、キャップ６はねじ部５ａ，６ａを介してノズル本体５から流通方向Ｆに沿って移動自在となっており、キャップ６の外周面には周方向に突出した摘み部６２を上記移動の操作部として備える。そのため、摘み部６２を指で摘みキャップ６を筒の周方向に回転させることで、ねじ部５ａ，６ａを介してキャップ６をノズル本体５に対して移動させることができる。すなわち、摘み部６２の操作時に、キャップ６をノズル本体５に締め込む向きに回転させることで、キャップ６及び旋回板７が上流側に移動し、緩める向きに回転させることで、キャップ６及び旋回板７が下流側に移動する。
【００３２】
そして、図１（ａ）に示すように、凸部７３が整流板８の板面の略中央に当接するまで上流側へ移動させることで、整流板８が中心孔７２を閉塞して、中心孔７２への流体の流入を妨げることができる。この場合、旋回室６１に中心軸流れを有する流体が導入されなくなるため、旋回孔７１を介した流体（旋回流を有する流体）のみが噴出孔４３から噴出される。すなわち、噴霧ノズル４は、第２モードから第１モードに切り替える切替手段として、ノズル本体５に対して流通方向Ｆに移動自在のキャップ６と、キャップ６の下流側への移動時（締め込み時）に中心孔７２を閉塞する整流板８とを有する。そして、キャップ６を締め込み操作して、閉塞部材４４を兼ねた整流板８で中心孔７２を閉塞させることで、噴霧ノズル４は第１モードである中空円錐状の噴霧動作が可能となる。
【００３３】
更に、第１モードから下流側にキャップ６を移動させる（緩める）ことで、図１（ｂ）に示すように、中心孔７２が解放されて流体が流通可能となる。そのため、中心軸流れを有した流体が旋回室６１に導入され、旋回流に中心軸流れを付与した流体が噴出孔４３から噴出される。すなわち、第１モードからキャップ６を緩めて流通方向Ｆにおける凸部７３と整流板８の間に隙間を形成することで、噴霧ノズル４は第２モードに切り替わり、第２モードである充円錐状の噴霧動作が可能となる。
【００３４】
このように、シャワー浴装置は、切替操作部２５ａ等を操作することで、ハンドシャワーヘッド３１からシャワー水を噴出させるハンドシャワー浴と、噴霧ノズル４から霧状に流体（噴霧水Ｍ）を噴出する身体の噴霧シャワー浴とを選択することができる。そして、座部１４を有したことで、座部１４に座ってハンドシャワー浴や噴霧シャワー浴のシャワー浴を行うことができるので、リラックスした状態で上記シャワー浴を利用することができる。
【００３５】
更に、噴霧ノズル４は第１モードと第２モードとを切り替える切替手段として、ノズル本体５に対して流通方向Ｆに移動自在のキャップ６と、キャップ６の下流側への移動時（締め込み時）に中心孔７２を閉塞する閉塞部材４４（整流板８）とを有する。そのため、噴霧シャワー浴においては、摘み部６２を操作することで、中空円錐状に噴霧水Ｍを噴出するミスト浴（第１モード）と、充円錐状に噴霧水Ｍを噴出する身体シャワー浴（第２モード）とを選択することができる。
【００３６】
そして、ミスト浴においては、噴霧水Ｍが中空円錐状に飛散するため、飛散中に噴霧水Ｍは浴室或いはシャワー室内の室温との温度差を緩和する。例えば、水温が室温より高い場合、噴霧水Ｍは飛散中に放熱して、周囲の空気を温め、粒子（噴霧水Ｍ）自体の体感温度を高くなり難くすることができる。更に、温めた周囲の空気を含めて身体を包み込むよう噴霧水Ｍを噴霧することで、サウナ浴のように高温で発汗作用のあるミスト浴を行い易くなる。また、水温が室温より低い場合、噴霧水Ｍは飛散中に周囲の空気から受熱して、噴出前の水温より上昇すると共に、周囲の空気を冷ますことができる。更に、冷ました周囲の空気を含めて身体を包み込むよう噴霧水Ｍを噴出することで、心肺機能等に負担を与え難くして身体にクールダウン作用のあるミスト浴を行い易くなる。
【００３７】
更に、身体シャワー浴においては、充円錐状の噴霧のみの従来のシャワー浴装置と略同様に、流体から身体への熱の伝導効率を高く保持し易くすることができる。そのため、身体を包み込むように噴霧水Ｍを噴出することで、浴槽に入浴した場合のように温熱効果のある身体シャワー浴を行い易くなる。
【００３８】
また、アーム１３に噴霧ノズル４（アーム側噴霧ノズル４ａ）を設けたことで、座部１４に座った利用者は、アーム側噴霧ノズル４ａからの噴霧水Ｍを前半身に浴びることができる。そして、背もたれ部１２に噴霧ノズル４を設けたことで、座部１４に座った利用者は、背中側噴霧ノズル４ｂからの噴霧水Ｍを背中に浴びることができる。更に、アーム側噴霧ノズル４ａを利用しない場合は、アーム１３を回動して背もたれ部１２の両側方に起立状態で収納することで、アーム１３が邪魔にならないようにすることができる。
【００３９】
なお、前述の実施形態においては、装置本体１に座部１４を移動して（実施形態では回動して）収納自在とした構成となっているが、座部１４を装置本体１に対して突出した姿勢で固定したものであってもよい。そして、頭上シャワーを備えたものや、ハンドシャワー３を備えないもの等であってもよい。
【００４０】
また、アーム１３を装置本体１（背もたれ部１２）の上方位置の一側にのみ設けたものであってもよい。そして、アーム１３は回動により収納自在のものに限らず、スライド移動により収納自在のものや、回動やスライド自在であるが収納自在でないものや、前方に突出した姿勢で固定されたもの等であってもよい。更に、整流板８の整流孔８１や旋回板７の旋回孔７１は例示の数に限らない。
【００４１】
また、切替手段は、閉塞部材４４が移動するものや、旋回板７のみが移動するもの等であってもよい。もちろん、閉塞部材４４は整流板８に限らない。そして、旋回部４２は例示の旋回板７に限らず、螺旋状の羽根を備え当該羽根で旋回流を付与するもの等であってもよい。更に、キャップ６を移動させる構成は、ねじ部５ａ，６ａを用いたものに限らず、スライド移動等であってもよい。
【符号の説明】
【００４２】
１  装置本体（シャワー浴装置本体）
１２  背もたれ部
１３  アーム
１４  座部
４  噴霧ノズル
４１  流通路
４２  旋回部
４３  噴出孔
４４  閉塞部材
５  ノズル本体
６  キャップ
７  旋回板
７１  旋回孔
７２  中心孔
７３  凸部
８  整流板
８１  整流孔
Ｆ  流通方向
【図１】
2013022203.tif 000003
【図２】
2013022203.tif 000004
【図３】
2013022203.tif 000005
【図４】
2013022203.tif 000006
【図５】
2013022203.tif 000007
【図６】
2013022203.tif 000008
【図７】
2013022203.tif 000009
【図８】
2013022203.tif 000010